(57)【特許請求の範囲】
【請求項１】
上面に、噴出孔が貫通形成され、内部に前記噴出孔と連通された収納空間が形成されたハウジングと、
液体燃料を前記収納空間の内側に供給できるように端部が前記収納空間の一側と連通されるよう前記ハウジングに連結される燃料供給部材と、
前記収納空間に昇下降移動可能なように収納され、その端部に昇下降移動によって前記噴出孔に選択的に挿入及び離脱され、供給される燃料の量を微調節する供給燃料微調節部材を備えた燃料供給調節部と、
前記収納空間を介して供給された液体燃料を気化し、前記噴出孔側に供給できるように前記収納空間と連通するように前記ハウジングの外面両側に異なる高さで連結されるヒートパイプと、
を含み、
前記収納空間は、燃料供給部材が連結される位置より上側に配置され、噴出孔と連通され燃料を供給する供給部と、ヒートパイプの一端が連結される位置に備えられ、ヒートパイプ側に液体燃料が供給されるようにする連通部と、燃料供給部材が連結される位置より下側に配置され、燃料供給調節部の一部が収納され、連通部より相対的に大きな直径を有するように形成された収納部と、で構成され、
前記燃料供給調節部は、前記収納部と同じ直径で形成され、前記収納部の内部に配置され、昇降移動して連通孔を遮蔽する遮蔽部材と、前記遮蔽部材の上面で一定の長さで延長形成され、前記遮蔽部材より相対的に小さな直径を有するように形成され、前記連通部の内部に配置される延長部材と、を含み、
前記遮蔽部材の外面には、リング状のシール部材が前記遮蔽部材の高さ方向に沿って一定の間隔離隔されるように複数個で備えられたことを特徴とするバーナーノズル構造。
【請求項２】
前記噴出孔の下部は、前記噴出孔に向かって上側に行くほど次第に直径が小さくなるように先細く形成されたことを特徴とする請求項１に記載のバーナーノズル構造。
【請求項３】
前記連通部と前記収納部との境界領域及び前記連通部と前記供給部との境界領域は、先細い形状で形成されたことを特徴とする請求項１に記載のバーナーノズル構造。
【請求項４】
前記遮蔽部材の下面には、下側に一定の長さで延長形成され、前記ハウジングの外部に突出されるように配置されるハンドル部材が備えられたことを特徴とする請求項３に記載のバーナーノズル構造。
【請求項５】
前記遮蔽部材の下側の外周面には、一定の直径で突出形成されるストッパーが備えられ、ハウジングの開口形成された下面には、前記ストッパーの一端が接触され、前記遮蔽部材の移動を制限する段差面が形成された下部キャップが締結されたことを特徴とする請求項３に記載のバーナーノズル構造。
【発明の詳細な説明】
【技術分野】
【０００１】
本発明は、バーナーノズル構造に関し、より詳しくは、一時的に液状燃料の供給を遮断することができるバーナーノズル構造に関するものである。
【背景技術】
【０００２】
従来、屋外で炊事用等として使用されてきた液出バーナーは、液状で供給される燃料を気化して燃焼させることによって、炊事に必要な熱源を得ていた。このような液出バーナーの場合に、液状で供給される燃料に含まれた異質物により燃料が供給される噴出孔が詰まるか、異質物が噴出孔に付着して、順調に点火がしなくなり、燃料の安定した燃焼が行われない問題点があった。
【０００３】
また、燃料の供給が安定的に行われなときに燃焼される花火が安定的でなく、瞬間的に多い量の花火が発火されたり、縮まったりすることを繰り返し、使用者が不安を感じる要因になっていた。このような従来の液出バーナーの場合に、このような問題点を解決するために供給される燃料の量を細かく調節できる別途の装置が備えられていなく、使用者に不便をもたらすという問題があった。
【０００４】
近頃、このような問題等を解決し、便利、且つ安定的に使用することができるバーナーの必要性が求められている実状である。
【先行技術文献】
【特許文献】
【０００５】
【特許文献１】特許第３９５７２８２号公報
【発明の概要】
【発明が解決しようとする課題】
【０００６】
本発明は、前記のような問題点を鑑みて案出されたものであり、本発明の目的は、バーナー側に供給される燃料の量を微調節可能にすることによって、バーナーの安定した燃焼が可能にすると同時に、ノズルの端部に異質物が付着されたときに、效果的に異質物を除去して、点火不良が発生することを防止するできるバーナーノズル構造を提供することにある。
【０００７】
前記した本発明のこのような目的は、液出バーナーのみに限定されるものではなく、ガスバーナー、ランタン、害虫駆除器などの様々なキャンプ装備に適用されていてもよい。
本発明の目的は、前述した目的に制限されなく、言及されていないさらに別の目的は下記の記載から当業者に明確に理解できるものである。
【課題を解決するための手段】
【０００８】
前述の目的を達成するための本発明の一実施例に係るバーナーノズル構造は、上面に、噴出孔が貫通形成され、内部に前記噴出孔と連通された収納空間が形成されたハウジングと、液体燃料を前記収納空間の内側に供給できるように端部が前記収納空間の一側と連通されるよう前記ハウジングに連結される燃料供給部材と、前記収納空間に昇下降移動可能に収納され、その端部に昇下降移動によって前記噴出孔に選択的に挿入及び離脱され、供給される燃料の量を微調節する供給燃料微調節部材を備えた燃料供給調節部と、前記収納空間を介して供給された液体燃料を気化し、前記噴出孔側に供給できるように前記収納空間と連通されるように前記ハウジングの外面両側に異なる高さで連結されるヒートパイプと、を含んで構成される。
前記収納空間は、燃料供給部材が連結される位置より上側に配置され、噴出孔と連通され燃料を供給する供給部と、ヒートパイプの一端が連結される位置に備えられ、ヒートパイプ側に液体燃料が供給されるようにする連通部と、燃料供給部材が連結される位置より下側に配置され、燃料供給調節部の一部が収納され、連通部より相対的に大きな直径を有するように形成された収納部と、で構成され、前記燃料供給調節部は、前記収納部と同じ直径で形成され、前記収納部の内部に配置され、昇降移動して連通孔を遮蔽する遮蔽部材と、前記遮蔽部材の上面で一定の長さで延長形成され、前記遮蔽部材より相対的に小さな直径を有するように形成され、前記連通部の内部に配置される延長部材と、を含む。
また、前記遮蔽部材の外面には、リング状のシール部材が前記遮蔽部材の高さ方向に沿って、一定の間隔離隔されるように複数個で備えられる。
【００１０】
また、前記連通部と前記収納部との境界領域及び前記連通部と前記供給部との境界領域は先細い形状で形成される。
さらに、前記遮蔽部材の下面には、下側に一定の長さで延長形成され、前記ハウジングの外部に突出されるように配置されるハンドル部材が備えられる。
【００１１】
さらに、前記遮蔽部材の下側の外周面には、一定の直径で突出形成されるストッパーが備えられ、ハウジングの開口形成された下面には、前記ストッパーの一端が接触され、前記遮蔽部材の移動を制限する段差面が形成された下部キャップが締結される。
【発明の効果】
【００１２】
前述した課題解決手段により本発明は、バーナー側に供給される燃料の量を微調節可能にすることによって、バーナーの安定した燃焼が可能すると同時に、ノズルの端部に異質物が付着されたときに、效果的に異質物を除去して、点火不良が発生することを防止できる効果が奏する。
【図面の簡単な説明】
【００１３】
【図１】本発明の一実施例に係るバーナーノズル構造を示す斜視図である。
【図２】図１のバーナーノズル構造の燃料が供給される状態の内部構造を示す縦断面図である。
【図３】図１のバーナーノズル構造の燃料が供給されない状態の構造を示す縦断面図である。
【発明を実施するための形態】
【００１４】
図１は、本発明の一実施例に係るバーナーノズル構造を示す斜視図であり、図２は、図１のバーナーノズル構造の燃料が供給される状態の内部構造を示す縦断面図であり、図３は、図１のバーナーノズル構造の燃料が供給されない状態の構造を示す縦断面図である。
【００１５】
これら図１〜３に示されるように、本発明の一実施例に係るバーナーノズル構造は、上面に、噴出孔１１０が貫通形成され、内部に前記噴出孔１１０と連通された収納空間１２０が形成されたハウジング１００と、液体燃料を収納空間１２０の内側に供給できるように端部が収納空間１２０の一側と連通されるようハウジング１００に連結される燃料供給部材２００と、収納空間１２０に昇下降移動可能に収納され、その端部に昇下降移動により噴出孔１１０に選択的に挿入及び離脱され、供給される燃料の量を微調節する供給燃料微調節部材３２１を備えた燃料供給調節部３００と、収納空間１２０を介して供給を受けた液体燃料を気化し、噴出孔１１０側に供給できるように収納空間１２０と連通するようにハウジング１００の外面両側に異なる高さで連結されるヒートパイプ４００とを含んで構成されている。
【００１６】
ハウジング１００は、内部に収納空間１２０が形成された円筒状の部材であり、その上面には収納空間１２０に供給された燃料を、連通部材５００を介して燃焼部６００側に供給する噴出孔１１０が貫通形成されている。
【００１７】
噴出孔１１０の下部は、噴出孔１１０に向かって上側に行くほど次第に直径が小さくなるように先細く形成されてもよい。
噴出孔１１０の下部が先細い形状で形成されることは、供給燃料微調節部材３２１が先細い形状で形成された噴出孔１１０の下部に挿入される深さに応じて、気化された燃料が供給される量を調節することによって、バーナーの安定した燃焼が可能にするためである。
【００１８】
噴出孔１１０の下部が先細い形状で形成されることは、後記する供給燃料微調節部材３２１と噴出孔１１０の中心とが一直線上に配置されない状態で、燃料供給調節部３００が昇降するときに供給燃料微調節部材３２１が先細くなった面に沿って、スライド移動しながら噴出孔１１０に挿入され得るようにするためである。
【００１９】
このような収納空間１２０は、燃料供給部材２００が連結される位置より上側に配置され、噴出孔１１０と連通され燃料を供給する供給部１２２と、ヒートパイプ４００の一端が連結される位置に備えられ、ヒートパイプ４００側に液体燃料が供給されるようにする連通部１２３と、燃料供給部材２００が連結される位置より下側に配置され、燃料供給調節部３００の一部が収納され連通部１２３より相対的に大きな直径を有するように形成された収納部１２４と、で構成される。
【００２０】
供給部１２２の一側外面は、気化された燃料が噴出孔１１０側に供給されるようにヒートパイプ４００の一端と連結され、連通部１２３の一側外面は、内部に液体燃料が供給されるように、ヒートパイプ４００の他端と連結されている。
【００２１】
ヒートパイプ４００の一端及び他端と、それぞれ連結される連通部１２３の一側外面と他側外面の高さは異なるように配置されることによって、気化された燃料が安定的に噴出孔１１０側に供給されるようにすることが好ましい。
【００２２】
開口形成されたハウジング１００の下面には、下部キャップ１３０が締結され、下部キャップ１３０の上側周縁には、平坦な段差面１３１が形成され、後記する燃料供給調節部３００に形成されたストッパー３４０の下面と接触して、燃料供給調節部３００の移動を制限することとなる。
【００２３】
また、ストッパー３４０の側面には、ネジ山が形成され、ストッパー３４０と接触されるハウジング１００の内面は、ストッパー３４０に形成されたネジ山とかみ合うネジ山が形成され、燃料供給調節部３００が回転により移動が可能になる。
【００２４】
相対的に大な直径を有する収納部１２４と、収納部１２４より相対的に小さな直径を有する連通部１２３及び連通部１２３より小さな直径を有する供給部１２２のそれぞれの境界領域の外周面は、上側に行くほど次第に直径が小さくなる先細く形成されたテーパ−面Ｔが備えられている。
【００２５】
また、燃料供給部材２００は、このような先細く形成された連通部１２３と収納部１２４との境界領域の直ぐ下側と連結され、収納空間１２０の内部に液体燃料を供給する。
燃料供給部材２００がヒートパイプ４００と直ぐ連結され、液体燃料を供給する構造ではなく、燃料供給部材２００が連通部１２３と収納部１２４との境界領域の直ぐ下側と連結され、液体燃料を供給することは、液体燃料がハウジング１００の長手方向に沿って移動しながら一定温度に加熱された後、ヒートパイプ４００側に供給されることで、均一な燃料の供給が可能にするためである。
【００２６】
即ち、燃料供給部材２００から供給される液体燃料が、ヒートパイプ４００で直ちに供給されることで、液体燃料が急激に気化される場合に、ヒートパイプ４００の内部に形成される圧力差で点火される花火が安定的でないため、ハウジング１００の長手方向に沿って移動しながらゆっくり気化されるようにすることで、点火される花火が安定的にするためである。
【００２７】
燃料供給調節部３００は、燃料供給部材２００が連結されるハウジング１００の外面に貫通形成された連通孔１２１を燃料供給調節部３００の外面が選択的に遮蔽することによって、収納空間１２０の内部に供給される燃料を遮断する役割を果たす。
【００２８】
このような燃料供給調節部３００は、収納部１２４と同じ直径で形成され、収納部１２４の内部に配置され、昇降移動して連通孔１２１を遮蔽する遮蔽部材３１０と、遮蔽部材３１０の上面で一定の長さで延長形成され、遮蔽部材３１０より相対的に小さな直径を有し、連通部１２３の内部に配置される延長部材３２０とを含んで構成されている。
【００２９】
燃料供給調節部３００の下部外周面には、下部キャップ１３０の段差面１３１と接触され、燃料供給調節部３００の下降移動を制限するストッパー３４０が突出形成されている。
【００３０】
また、収納部１２４に配置される燃料供給調節部３００の外面には、収納空間１２０の内部に供給された液体燃料が開口形成されたハウジング１００の下面を通して外部に流出しないようにする複数のシール部材３１１が備えられている。
【００３１】
シール部材３１１は、燃料供給調節部３００の高さ方向に沿って一定間隔で離隔配置され、複数個で備えられることが燃料の外部流出を防止するのに、さらに効果的である。
このようなシール部材３１１は、遮蔽部材３１０の下側と上側にそれぞれ複数個で備えられる。下側に備えられたシール部材３１１は、前述のように、液体燃料がハウジング１００の下面を通して外部に流出しないようにするためであり、上側に備えられたシール部材３１１は、液体燃料が噴出孔１１０側に移動して、点火に悪影響をおよぼさないようにするためである。
【００３２】
遮蔽部材３１０の下面には、下側に一定の長さで延長形成され、ハウジング１００の外部に突出されるように配置されるハンドル部材３３０が備えられたことで、使用者がハンドル部材３３０を時計方向や反時計方向に回転させることによって、燃料供給調節部３００の引き込み引き出しの長さを調節し、選択的に燃料供給を遮断することができる。
【００３３】
また、ハンドル部材３３０の対向側の延長部材３２０の端部には、噴出孔１１０に選択的に挿入され、噴出孔１１０に付着された異質物を除去できる供給燃料微調節部材３２１が突出形成される。
【００３４】
供給燃料微調節部材３２１の端部は、噴出孔１１０に付着された異質物を貫通して噴出孔１１０の外部に突出され得るようさき尖るように形成されることが効果的である。その直径は噴出孔１１０の内側面に付着された異質物までも噴出孔１１０の外部に脱去させることができる噴出孔１１０の直径と同じく形成されることが好ましい。
【００３５】
ヒートパイプ４００は、燃料供給部材２００から供給される液体燃料を気化できるように噴出孔１１０の上側を経由して配置され、気化された燃料を、収納空間１２０を介して噴出孔１１０側に供給する収納空間１２０と連通されるようにハウジング１００の外面両側に連結されている。
【００３６】
噴出孔１１０が形成されたハウジング１００の上側には、連通部材５００が備えられ、連通部材５００の端部には、環状の燃焼部６００が備えられることによって、噴出孔１１０を介して噴出される燃料が連通部材５００によって燃焼部６００側に誘導された後、燃焼部６００で別の点火源により点火される。
【００３７】
連通部材５００によって燃焼部６００側に誘導された燃料は、環状の燃焼部６００により、点火時に環状に拡散しながら燃焼されるため、加熱対象物と接触される面積を拡張させることで加熱対象物を速かに加熱できる。
【００３８】
このような構成を有する本発明の一実施例に係るバーナーのノズル構造を利用して、液出バーナー側に供給される燃料の量を微調節し、噴出孔に付着された異質物を除去する過程は以下の通りである。
【００３９】
まず、燃料供給部材２００を介して液体燃料が収納空間１２０の内部に流入されれば、燃料供給調節部３００の外面に形成されたシール部材３１１によって供給された燃料が収納空間の内部に満ち、ヒートパイプ４００の内部にまで流入される。
【００４０】
このとき、供給される燃料は、ハウジング１００の長手方向に沿って移動しながら一定温度に加熱された状態でヒートパイプ４００の内部に流入されることで、ヒートパイプ４００で速かに気化されると同時に、燃料の突然の気化によってヒートパイプ４００の内部で圧力差が生じなくなることで、安定的に燃料の供給が可能になる。
【００４１】
また、供給された燃料は、連通部材５００を介して燃焼部６００に誘導され、燃焼部６００で別の点火源により環状に拡散しながら燃焼され、加熱対象物を広い面積に亘って均一に加熱できるようにする。
【００４２】
ヒートパイプ４００の内部に流入された液体燃料は、ヒートパイプ４００で気化され、ヒートパイプ４００の他端を通して噴出孔１１０と連通された収納空間１２０の供給部１２２に再供給され、燃料供給が持続的に行われ、バーナーを使用できるようにする。
【００４３】
このとき、過度に燃料が供給され、バーナーで発生される花火が安定的に燃焼しない場合には、燃料の供給を一時的に遮断させる必要がある。この燃料供給を一時的に遮断する方法は以下の通りである。
【００４４】
ハウジング１００の外部に突出されるように配置されたハンドル部材３３０を握り、時計方向に回転させればハウジング１００に沿って燃料供給調節部３００が移動し、燃料供給調節部３００の遮蔽部材３１０が連通孔１２１を遮蔽させることで、燃料供給部材２００を介した燃料の供給が中断される。
【００４５】
このような方法によって、一時的に燃料供給を遮断した後、持続的にバーナーを使用する場合には、ハンドル部材３３０を反時計方向に回転させれば遮蔽部材３１０が下側に移動しながら連通孔１２１で遮蔽部材３１０が離脱され、連通孔１２１が開放されることで、燃料が再供給され、持続的にバーナーを使用可能になる。
【００４６】
また、バーナーの使用時に、噴出孔１１０に異質物が付着され、初期点火が思い通りに行われないか、バーナーが燃焼時に煤煙などが発生する場合には、異質物の除去のために、ハンドル部材３３０を時計方向に回転させる燃料供給調節部３００の端部に備えられた供給燃料微調節部材３２１が噴出孔１１０の内部に挿入されながら噴出孔に付着された異質物が除去され、安定した燃焼が可能になる。
【００４７】
以上では本発明の好ましい実施例を例示的に説明したが、本発明の範囲はこのような特定実施例のみに限定されなく、特許請求の範囲に記載された範疇内で適切に変更可能である。
【符号の説明】
【００４８】
１００  ハウジング
１１０  噴出孔
１２０  収納空間
１２１  連通孔
１２２  供給部
１２３  連通部
２００  燃料供給部材
３００  燃料供給調節部
３１０  遮蔽部材
３１１  シール部材
３２０  延長部材
３２１  供給燃料微調節部材
３３０  押圧部材
４００  ヒートパイプ
５００  連通部材
６００  燃焼部
【図１】
0005966023.tif 000002
【図２】
0005966023.tif 000003
【図３】
0005966023.tif 000004